(57)【特許請求の範囲】
【請求項１】
換気送風ユニット、循環送風ユニット、加熱ユニット、および加湿ユニットを内部に備え、浴室と連通する開口が下部に形成され、かつ浴室の天井に設置される機体と、前記機体の下部の前記開口に取り付けられ、吸い込み口および吹き出し口が設けられたルーバーと、備え、前記ルーバーの前記吹き出し口に空気の吹出し方向を調節する風向板が取り付けられているミストサウナ装置であって、
前記加湿ユニットの前記吹き出し口と前記ルーバーの前記吹き出し口とを接続する風道変更構造を備え、
前記風道変更構造は、前記加湿ユニットの前記吹き出し口と同じ大きさを有する第一開口と、前記第一開口の下方に配置され、かつ前記ルーバーの前記吹き出し口となる第二開口とを有し、
前記第二開口における長手方向である第一方向の幅（Ｗ２）は、前記第一開口における前記第一方向の幅（Ｗ１）よりも大きく、
第二開口における短手方向である第二方向の長さ（Ｌ２）は、前記第一開口における前記第二方向の長さ（Ｌ１）よりも小さく、
前記風道変更構造は、
前記第一開口における前記第一方向沿いのそれぞれの端縁と、前記第二開口における前記第一方向沿いのそれぞれの端縁とを接続する第一傾斜部と、
前記第一開口における前記第二方向沿いのそれぞれの端縁と、前記第二開口における前記第二方向沿いのそれぞれの端縁とを接続する第二傾斜部と、を有し、
前記風道変更構造内において、前記第一傾斜部上に、前記第一開口の前記端縁から前記第二開口の前記端縁へと向かう傾斜方向にしたがって広がるように配置された八字形のガイドリブが設けられており、前記第一開口から前記第二開口へ向かう空気が、前記八字形の前記ガイドリブに沿って、前記第一方向に広がるように案内されることを特徴とするミストサウナ装置。
【請求項２】
前記風道変更構造の前記第一開口において、前記第一開口の開口部分に沿って配置されかつ前記加湿ユニットの前記吹き出し口側に向かって突出する突出壁が設けられ、
前記突出壁は、前記加湿ユニットの前記吹き出し口の内壁面に接触するように前記加湿ユニットの前記吹き出し口に係止され、
前記第一開口の中央側に向かって突出するとともに、前記加湿ユニットの前記吹き出し口側に向かって延在する複数の位置決めリブが前記突出壁の内壁面に設けられ、
前記位置決めリブは、前記加湿ユニットの前記吹き出し口側に向かう方向において、前記突出壁の第一頂部を越えて延びる第二頂部を有し、前記位置決めリブは、前記第二頂部から前記突出壁の前記第一頂部へと至る傾斜部分を有することを特徴とする請求項１に記載のミストサウナ装置。
【発明の詳細な説明】
【技術分野】
【０００１】
本発明はサウナ装置に関しており、特にミストサウナ装置に関するものである。
【背景技術】
【０００２】
ミストサウナ装置とは、浴室の天井に設置され浴室をサウナ室とするミスト装置というものである。換気だけではなく、使用者に高温高湿の蒸気を提供できる。
【０００３】
図１は公知のミストサウナ装置の概略図である。例えば、出願番号が２００７８００３９５５０.２である特許文献の記載のように、浴室内の空気を排出する換気送風ユニット３と、空気を加熱する加熱ユニット４と、空気を加湿する加湿ユニット５と、室内空気を循環させる循環送風ユニット６とを備えている。
【０００４】
風道の順調を確保するために、図１に示すように、ミストサウナ装置１を機体２と換気送風ユニット３に分けて、換気送風ユニット３を機体２の外部に設置する。
【０００５】
このようなミストサウナ装置は、換気モードで、空気が換気送風ユニット３に吸込まれて、室外へ排出される。加湿加熱モードで、空気が循環送風ユニット６によって吸込み口から加熱ユニット４と加湿ユニット５に吸込まれて加熱、加湿されて、ルーバーの吹き出し口７に設置されている風向板から室内に吹き出される。
【０００６】
上記ミストサウナ装置は風道の大きさと順調を確保できるが、取り付ける時、機体２を取り付けてから換気送風ユニット３を取り付ける必要があるので、取り付けが不便であり、工数を浪費し、また、機体が大きいので、コストが高く、運送が不便である。
【０００７】
先行技術に前記加湿ユニット、加熱ユニット、換気送風ユニット、循環送風ユニットを全て前記ミストサウナ装置の機体内部に設置する技術案もある。しかし、ミストサウナ装置の小型化を確保するために、機体内の空気を室内へ吹出す送風風道を小さく設置しなければならないので、ルーバーの吹き出し口も前記排気風道に合わせて小さく設置する。そうすると、ルーバーの吹き出し口が小さすぎて、ミストサウナ装置の送風面積が小さく、均一な空気を吹出せないことを招く。
【発明の概要】
【０００８】
本発明は上記先行技術のような課題を解決するために、特に装置の小型化を確保できるとともに、均一な空気を吹出すこともできるミストサウナ装置を提供する。
【０００９】
上記目的を実現するために、本発明は、内部に換気送風ユニットと、循環送風ユニットと、加熱ユニットと、加湿ユニットとを備え、下部に浴室と連通する開口が形成され、且つ浴室の天井に設置されている機体と、前記機体の下部の開口に取り付けられ、吸込み口と吹き出し口が設けられているルーバーと、を含んでおり、前記ルーバーの吹き出し口に空気の吹出し方向を調節する風向板が取り付けられているミストサウナ装置であって、前記加湿ユニットの吹き出し口と前記ルーバーの風向板との間は風道変更構造により接続され、前記風道変更構造の上部には前記加湿ユニットの吹き出し口と同じ大きさの第一開口が形成され、前記第一開口の第一組の対辺が内側及び下側へ傾斜して所定の長さに延設することで第一傾斜部を形成し、前記第一開口の第二組の対辺の中部が外側及び下側へ傾斜して所定の長さに延設することで第二傾斜部を形成し、前記第一傾斜部の下端と前記第二傾斜部の下端により第二開口を形成することを特徴とするミストサウナ装置を提供する。
【００１０】
前記第一傾斜部に八字形のガイドリブが設置されている。
【００１１】
前記第一開口の四周に、前記加湿ユニットの吹出し口の方向へ延伸する突出リブが設けられ、前記突出リブは、前記加湿ユニットの吹き出し口の内壁面に接触するように前記加湿ユニットの吹き出し口内に係止している。
【００１２】
前記突出リブの内壁に、頂部が前記突出リブよりも高い位置決めリブが設置され、前記位置決めリブは、その頂部から前記突出リブの頂部へ傾斜して設置されている。
【００１３】
本発明のメリットは、ミストサウナ装置が均一な空気を吹出すことができるのである。
【図面の簡単な説明】
【００１４】
【図１】図１は公知のミストサウナ装置の概略図
【図２】図２は本発明の全体的な構造の断面図
【図３】図３は本発明の機体の構造の斜視図
【図４】図４は本発明の風道変更構造の立体概略図
【図５】図５は本発明の風道変更構造の別の角度から見た立体概略図
【発明を実施するための形態】
【００１５】
図２は本発明の全体的な構造の断面図であり、図３は本発明の機体の構造の斜視図である。図に示すように、ミストサウナ装置１０は、内部に換気送風ユニット１３と、循環送風ユニット１６と、加熱ユニット１７と、加湿ユニット１５とを備え、下部に浴室と連通する開口が形成され、且つ浴室の天井に設置されている機体１１と、前記機体１１の下部の開口に取り付けられ、吸込み口と吹き出し口１４とが設けられているルーバー１８とを含んでおり、前記ルーバー１８の吹き出し口１４に空気の吹出し方向を調節する風向板１９が取り付けられており、前記加湿ユニット１５の吹き出し口１２と前記ルーバー１８の風向板１９との間は風道変更構造２０により接続されている。
【００１６】
図４、図５は本発明の風道変更構造の異なる角度から見た立体概略図である。図に示すように、前記風道変更構造２０の上部には前記加湿ユニット１５の吹き出し口１２と同じ大きさの例えば長方形の第一開口２１が形成され、前記第一開口２１の第一組の対辺２２が内側及び下側へ傾斜して所定の長さに延設することで第一傾斜部２３を形成する。前記第一開口２１の第二組の対辺２４の中部が外側及び下側へ傾斜して所定の長さに延設することで第二傾斜部２５を形成する。前記第一傾斜部２３の下端と前記第二傾斜部２５の下端により例えば長方形の第二開口２６を形成する。
【００１７】
空気は循環送風ユニット１６によってルーバー１８に設置される吸込み口から加熱ユニット１７に吸込まれてから、前記加湿ユニット１５の吹き出し口１２に案内されて、加湿ユニット１５の吹き出し口１２からルーバー１８の吹き出し口１４へ吹出す。
【００１８】
使用者が便利に風向を調節し、且つ送風面積を拡大させ、均一な送風及び快速採暖を実現できるように、ルーバー１８の吹き出し口１４に風向板１９が設置されているので、前記加湿ユニット１５の吹き出し口１２からの空気をスムーズにルーバー１８の風向板１９を通じて室内に吹出すことを確保するために、前記加湿ユニット１５の吹き出し口１２と前記ルーバー１８の風向板１９の間に風道変更構造２０が設けられている。前記風道変更構造２０の第一傾斜部２３と第二傾斜部２５によって、加湿ユニット１５の吹き出し口１２から風向板１９までの風道の幅は大きくなり（図に示すように、Ｗ１＜Ｗ２）、長さは小さくなり（図に示すように、Ｌ１＞Ｌ２）、加湿ユニット１５の吹き出し口１２と同じ大きさの第一開口２１から風向板１９と同じ大きさの第二開口２６に転換する。
【００１９】
風は前記第一開口２１から風道変更構造２０に入って、内側及び下側へ傾斜する前記第一傾斜部２３に沿って、前記風道変更構造２０の中心に集中する。つまり、第一傾斜部２３は、風を風道変更構造２０の幅方向の中央部に集中させる、そこで、それぞれ第一組の対辺２２に位置する風の一部は風道変更構造２０の幅方向の中央部に互いに衝突した後、外側及び下側へ傾斜する第二傾斜部２５に沿って第二開口２６の左右両端の方向へ拡散して、スムーズに送風面積がより大きな風向板１９へ流れて室内へ吹出される。
【００２０】
また、風は風道変更構造２０を通過してから、一部は風向板１９の回転によって風向板１９の上壁面または風向板１９の風ガイド片に衝突し、風向板１９の左右端にいき渡すことで、ミストサウナ装置は均一な空気を吹出すことができる。
【００２１】
なお、前記ルーバー１８を正方形とし、前記加湿ユニット１５の吹出し口１２も正方形とし、且つ機体の中央に設置され、前記風道変更構造２０の第一開口２１を前記加湿ユニット１５の吹出し口１２と同じ大きさにし、且つ同じ正方形に設置されば、ミストサウナ装置の換気送風ユニットの排気ダクトの施工方向に応じて機体の設置方向を９０度程度変更したとしても、風道変更構造の取付方向を９０度程度変更することによりルーバーの吹出口を所定の洗い場方向に変更させることができるようになる。
【００２２】
また、図４に示すように、前記第一傾斜部２３に上方から見た時八字形のガイドリブ２３１が設置されている。風は前記第一開口２１から風道変更構造２０に入って、前記第一傾斜部２３に設置された八字形のガイドリブ２３１によって、風は前記ガイドリブ２３１に沿って第二傾斜部２５へ拡散する。このように風は更にスムーズに第二傾斜部２５へ流れ、外側及び下側へ傾斜する第二傾斜部２５に沿って第二開口２６の左右端の方向へ拡散して、スムーズに送風面積が大きな風向板１９へ流れてルーバー１８の風向板１９を通じて室内へ吹出される。
【００２３】
また、図２、図４に示すように、前記第一開口２１の四周には、加湿ユニット１５の吹出し口１２の方向へ突出リブ２１１が延設されている。上記構造によって、風道変更構造２０の第一開口２１と加湿ユニット１５の吹き出し口１２を接続する時、前記突出リブ２１１は、加湿ユニット１５の吹き出し口１２の内壁面に接触するように加湿ユニット１５の吹き出し口１２内に係止していることにより、加湿ユニット１５の吹き出し口１２と風道変更構造２０との接続隙間での風漏れを効果的に防止することができる。
【００２４】
前記突出リブ２１１の内壁２１２には、頂部が前記突出リブ２１１よりも高い位置決めリブ２１３が設置され、前記位置決めリブ２１３はその頂部から前記突出リブ２１１の頂部へ傾斜して設置されている。即ち、前記位置決めリブ２１３の頂部は前記第一開口２１の突出リブ２１１へ傾斜することで、加湿ユニット１５の吹き出し口１２を前記突出リブ２１１の外縁までスライドするようにガイドできる。
【００２５】
使用者はルーバー１８をミストサウナ装置の機体１１に取り付ける時、まずねじを前記第二傾斜部２５に設置されるねじ取付部２１６を貫通することで風道変更構造２０をルーバー１８に固定してから、ルーバー１８をミストサウナ装置の機体１１に取り付ける。ルーバー１８が視線を遮るので、前記突出リブ２１１を容易に加湿ユニット１５の吹き出し口内１２に係止することができない。突出リブ２１１に前記位置決めリブ２１３が設置されていることにより、前記突出リブ２１１は容易に位置決めリブ２１３の傾斜面に沿って加湿ユニット１５の吹き出し口１２内にスライドすることができ、ルーバー１８をより便利に取り付けることができるようになる。
【図１】
0005952498.tif 000002
【図２】
0005952498.tif 000003
【図３】
0005952498.tif 000004
【図４】
0005952498.tif 000005
【図５】
0005952498.tif 000006